(57)【要約】【課題】  多機能化が可能な空気清浄器を提供する。【解決手段】  送風路２内の送風に脱臭物質を放出する酸化脱臭手段９と内部を通過する送風に対し抗酸化物質を放出する抗酸化物放出手段１０とを備え、酸化脱臭手段９による脱臭を最優先する脱臭モードと、抗酸化物放出手段１０による抗酸化物質付加を最優先する抗酸化物放出モードと、酸化脱臭手段９及び抗酸化物放出手段１０による脱臭と抗酸化物付加を中和させる中和モードと、送風のみを行う送風モードとを選択できるようにする。【選択図】      図１
2007014704.tif 000002
【特許請求の範囲】
【請求項１】
送風路（２）内の送風に脱臭物質を放出する酸化脱臭手段（９）と内部を通過する送風に対し抗酸化物質を放出する抗酸化物放出手段（１０）とを備え、
前記酸化脱臭手段（９）による脱臭を最優先する脱臭モードと、
前記抗酸化物放出手段（１０）による抗酸化物質付加を最優先する抗酸化物放出モードと、
前記酸化脱臭手段（９）及び前記抗酸化物放出手段（１０）による脱臭と抗酸化物付加を中和させる中和モードと、
送風のみを行う送風モードとを選択できることを特徴とする空気清浄器。
【請求項２】
請求項１記載の空気清浄器であって、
前記送風路（２）内に、下流で合流する第１通路（２ａ）と第２通路（２ｂ）を設け、
この第１通路（２ａ）と第２通路（２ｂ）のいずれか一方に前記酸化脱臭手段（９）の酸化脱臭物質の放出ができ、
他方に前記抗酸化物放出手段（１０）の抗酸化物質の放出ができるようそれぞれ配置し、前記送風路（２）内を流れる送風を前記第１通路（２ａ）と前記第２通路（２ｂ）の少なくともいずれか一方に、選択的に配風する切替ドア（１１）を設け、
この切替ドア（１１）の切替と前記酸化脱臭手段（１０）のオン・オフによって脱臭モード、抗酸化物放出モード、中和モード及び送風モードのいずれかを選択自在にしたことを特徴とする空気清浄器。
【請求項３】
請求項１記載の空気清浄器であって、
前記抗酸化物放出手段（１０）は、前記送風路（２）内に配置される放出位置と、前記送風路（２）より退避する退避位置との間で移動自在に設けられ、前記抗酸化物放出手段（１０）の変位と前記酸化脱臭手段（１０）のオン・オフによって脱臭モード、抗酸化物放出モード、中和モード及び送風モードのいずれかを選択自在にしたことを特徴とする空気清浄器。
【請求項４】
請求項３記載の空気清浄器であって、
前記抗酸化物放出手段（１０）は、前記送風路（２）内の前記酸化脱臭手段（９）より下流位置に配置されたことを特徴とする空気清浄器。
【請求項５】
請求項３記載の空気清浄器であって、
前記酸化脱臭手段（９）は、前記送風路（２）内の前記抗酸化物放出手段（１０）より下流位置に配置されたことを特徴とする空気清浄器。
【発明の詳細な説明】
【技術分野】
【０００１】
本発明は、空気を清浄する空気清浄器に関する。
【背景技術】
【０００２】
この種の従来の空気清浄器としては、特許文献１に開示されたものがある。この特許文献１には、単一の送風路内に抗酸化物放出ユニットを配置し、送風路内を通過する送風に抗酸化物質を放出する構造が開示されている。このような空気清浄器にあって、空気の脱臭機能を付加する場合には、送風路に酸化脱臭ユニットを抗酸化物放出ユニットに対し直列に配置することが容易に考えられる。
【特許文献１】特開２００３−９７８２６号公報
【発明の開示】
【発明が解決しようとする課題】
【０００３】
しかしながら、単一の送風路に酸化脱臭ユニットと抗酸化物放出ユニットを直列配置すると、次のような問題がある。つまり、酸化脱臭ユニットを上流位置に抗酸化物放出ユニットを下流位置に配置した場合には、送風路の上流で放出した酸化脱臭物が下流で放出する抗酸化物質によって分解され、その機能が削減されるため、空気清浄器より排出する空気は脱臭機能が減少したものとなる。又、抗酸化機能も中和されるため、空気清浄器より排出する空気は抗酸化機能が減少したものとなる。
【０００４】
抗酸化物放出ユニットを上流位置に酸化脱臭ユニットを下流位置に配置した場合には、送風路の上流で放出した抗酸化物質が下流で放出する酸化脱臭物質によって分解され、その機能が削減されるため、空気清浄器より排出する空気は抗酸化機能が減少したものとなる。以上より、脱臭機能を最優先させたい脱臭モードや抗酸化機能を最優先させたい抗酸化モードを機能として付加することができない。従って、空気清浄器を多機能化できない。
【０００５】
そこで、本発明は、多機能化が可能な空気清浄器を提供することを目的とする。
【課題を解決するための手段】
【０００６】
上記目的を達成する請求項１の発明は、送風路内の送風に脱臭物質を放出する酸化脱臭手段と内部を通過する送風に対し抗酸化物質を放出する抗酸化物放出手段とを備え、前記酸化脱臭手段による脱臭を最優先する脱臭モードと、前記抗酸化物放出手段による抗酸化物質付加を最優先する抗酸化物放出モードと、前記酸化脱臭手段及び前記抗酸化物放出手段による脱臭と抗酸化物付加を中和させる中和モードと、送風のみを行う送風モードとを選択できることを特徴とする。
【０００７】
請求項２の発明は、請求項１記載の空気清浄器であって、前記送風路内に、下流で合流する第１通路と第２通路を設け、この第１通路と第２通路のいずれか一方に前記酸化脱臭手段の酸化脱臭物質の放出ができ、他方に前記抗酸化物放出手段の抗酸化物質の放出ができるようそれぞれ配置し、前記送風路内を流れる送風を前記第１通路と前記第２通路のいずれか一方に、又は、双方に選択的に配風する切替ドアを設け、この切替ドアの切替と前記酸化脱臭手段のオン・オフによって脱臭モード、抗酸化物放出モード、中和モード及び送風モードのいずれかを選択自在にしたことを特徴とする。
【０００８】
請求項３の発明は、請求項１記載の空気清浄器であって、前記抗酸化物放出手段は、前記送風路内に配置される放出位置と、前記送風路より退避する退避位置との間で移動自在に設けられ、前記抗酸化物放出手段の変位と前記酸化脱臭手段のオン・オフによって脱臭モード、抗酸化物放出モード、中和モード及び送風モードのいずれかを選択自在にしたことを特徴とする。
【０００９】
請求項４の発明は、請求項３記載の空気清浄器であって、前記抗酸化物放出手段は、前記送風路内の前記酸化脱臭手段より下流位置に配置されたことを特徴とする。
【００１０】
請求項５の発明は、請求項３記載の空気清浄器であって、前記酸化脱臭手段は、前記送風路内の前記抗酸化物放出手段より下流位置に配置されたことを特徴とする。
【発明の効果】
【００１１】
請求項１の発明によれば、４つのモードを選択できるため、多機能化が可能である。又、抗酸化物放出手段内に送風しないモードでは、抗酸化物質の無駄な溶出を防止できる。
【００１２】
請求項２の発明によれば、各種モードの切替を切替ドアの制御と酸化脱臭手段のオン・オフ制御で行うことができる。従って、迅速なモード切替を行うことができる。
【００１３】
請求項３の発明によれば、各種モードの切替を抗酸化物放出手段の移動と酸化脱臭手段のオン・オフ制御で行うことができる。従って、全てのモードで送風路を有効に使用でき、モードによって送風量が異なるという不都合がない。
【００１４】
請求項４の発明によれば、脱臭された送風は送風路内で抗酸化物により脱臭効果が中和されるため、空気清浄器からは送風自体は脱臭されているが、脱臭機能が軽減された清浄な空気を排出できる。
【００１５】
請求項５の発明によれば、抗酸化物質を含む空気は送風路内で酸化脱臭物により抗酸化効果が中和されるため、空気清浄器からは送風自体は抗酸化されているが、抗酸化機能が軽減された清浄な空気を排出できる。
【発明を実施するための最良の形態】
【００１６】
以下、本発明の実施形態を図面に基づいて説明する。図１は本発明の第１実施形態に係る空気清浄器１Ａの構成図である。図１に示すように、空気清浄器１Ａは、内部に送風路２が形成されたユニットケース３を有する。このユニットケース３の送風路２の最上流位置には空気吸込み口４が、ユニットケース３の送風路２の最下流位置には空気排出口５がそれぞれ形成されている。送風路２内の上流側には、フィルタ６と送風ファン７がこの順で配置されている。
【００１７】
フィルタ６は、内部を通過する送風内の除塵、脱臭等を行うもので、空気清浄器１Ａの用途に応じて選択される。
【００１８】
送風ファン７は、空気清浄対象となる室内（自動車の場合には車室）の空気を空気吸込み口４から送風路２内に吸い込む。送風ファン７によって吸い込まれた空気は、送風路２を通って空気排出口５より室内に排出される。
【００１９】
又、送風路２は、送風ファン７の下流位置で第１通路２ａと第２通路２ｂに仕切り壁８によって分岐されている。そして、第１通路２ａには酸化脱臭手段である酸化脱臭ユニット９が、第２通路２ｂには抗酸化物放出手段である抗酸化物放出ユニット１０Ａがそれぞれ配置されている。
【００２０】
酸化脱臭ユニット９は、無声放電方式、電気分解方式、紫外線ランプ方式等を用いて酸化脱臭物質であるオゾンを発生させ、発生させたオゾンを送風路２の第１通路２ａ内に放出する。酸化脱臭ユニット９は電源のオン・オフによってオゾンの発生が制御される。
【００２１】
抗酸化物放出ユニット１０Ａは、抗酸化物質が塗布等されたフィルタ等を内蔵し、フィルタ等を通過する際に、送風に対して抗酸化物質であるビタミン等を放出する。
【００２２】
送風路２には、第１通路２ａと第２通路２ｂへの配風を行う切替ドア１１が設けられている。切替ドア１１は、点線の第１位置Ｐ１と二点鎖線の第２位置Ｐ２と実線の中間位置Ｐ３との３ポジションに選択的に回転変移される。第１位置Ｐ１では、送風路２内の送風を第１通路２ａのみに送風する。第２位置Ｐ２では、送風路２内の送風を第２通路２ｂのみに送風する。中間位置Ｐ３では、送風路２内の送風を第１通路２ａと第２通路２ｂの双方に等分に配風する。
【００２３】
又、送風路は、第１通路と第２通路の下流で合流されている。その合流箇所はミックススペース２ｃとして形成され、送風が第１通路２ａと第２通路２ｂの双方に配風された場合に双方からの送風がミックススペース２ｃで混合された後に空気排出口５より排出される。
【００２４】
次に、空気清浄器１Ａの作用を説明する。脱臭を最優先する脱臭モードが選択されると、切替ドア１１が第１位置Ｐ１に位置され、酸化脱臭ユニット９が電源オンされる。送風ファン７によって送風路２に吸い込まれた送風は、第１通路２ａのみに配風され、この第１通路２ａを通過する送風に酸化脱臭ユニット９よりオゾンが放出される。このオゾンが放出された送風は、空気排出口５より車室内に排出される。つまり、酸化脱臭機能を持った浄化空気が室内に提供される。
【００２５】
抗酸化作用を最優先する抗酸化物放出モードが選択されると、切替ドア１１が第２位置Ｐ２に位置され、酸化脱臭ユニット９が電源オフされる。送風ファン７によって送風路２に吸い込まれた送風は、第２通路２ｂのみに配風され、抗酸化物放出ユニット１０Ａを通過する。この抗酸化物放出ユニット１０Ａの通過過程で送風に抗酸化物質が放出される。この抗酸化物質が放出された送風は、空気排出口５より車室内に排出される。つまり、抗酸化機能（例えばビタミン機能）を持った浄化空気が室内に提供される。
【００２６】
中和モードが選択されると、切替ドア１１が中間位置Ｐ３に位置され、酸化脱臭ユニット９が電源オンされる。送風ファン７によって送風路２に吸い込まれた送風は、第１通路２ａと第２通路２ｂに等分に配風される。第１通路２ａを通過する送風には、酸化脱臭ユニット９よりオゾンが放出される。第２通路２ｂを通過する送風には、抗酸化物放出ユニット１０Ａより抗酸化物質が放出される。オゾンが放出された送風と抗酸化物質が放出された送風がミックススペース２ｃで混合され、ここで中和され、中和された送風は空気排出口５より車室内に排出される。つまり、送風自体は酸化脱臭されているが、酸化脱臭機能と抗酸化機能が中和された浄化空気が室内に提供される。
【００２７】
送風のみを行う送風モードが選択されると、切替ドア１１が第１位置Ｐ１に位置され、酸化脱臭ユニット９が電源オフされる。送風ファン７によって送風路２に吸い込まれた送風は、第１通路２ａのみに配風され、酸化脱臭ユニット９によってオゾンが放出されることなく送風が空気排出口５より車室内に排出される。
【００２８】
以上、上記空気清浄器１Ａでは、脱臭モード、抗酸化物放出モード、中和モード及び送風モードの４つのモードを選択できるため、多機能化が可能である。
【００２９】
又、抗酸化物放出ユニット１０Ａ内に送風しないモード、つまり、脱臭モードと送風モードでは、抗酸化物質の無駄な溶出を防止できる。
【００３０】
この第１実施形態では、各種モードの切替を切替ドア１１の切替制御と酸化脱臭ユニット９のオン・オフ制御で行うことができるため、迅速なモード切替を行うことができる。
【００３１】
図２は本発明の第２実施形態に係る空気清浄器１Ｂの構成図である。図２に示すように、空気清浄器１Ｂは、内部に送風路２が形成されたユニットケース３を有する。このユニットケース３の送風路２の最上流位置には空気吸込み口４が、ユニットケース３の送風路２の最下流位置には空気排出口５がそれぞれ形成されている。送風路２の上流側から下流側には、フィルタ６、送風ファン７、酸化脱臭手段である酸化脱臭ユニット９、抗酸化物放出手段である抗酸化物放出ユニット１０Ｂが順に配置されている。
【００３２】
フィルタ６は、内部を通過する送風内の除塵、脱臭等を行うもので、空気清浄器１Ｂの用途に応じて選択される。
【００３３】
送風ファン７は、空気清浄対象となる室内（自動車の場合には車室）の空気を空気吸込み口４から送風路２内に吸い込む。送風ファン７によって吸い込まれた空気は、送風路２を介して空気排出口５より室内に排出される。
【００３４】
酸化脱臭ユニット９は、無声放電方式、電気分解方式、紫外線ランプ方式等を用いて酸化脱臭物質であるオゾンを発生させ、発生させたオゾンを送風路２内に放出する。酸化脱臭ユニット９は電源のオン・オフによってオゾンオゾンの発生が制御される。
【００３５】
抗酸化物放出ユニット１０Ｂは、ユニット内部を通過する送風に対して抗酸化物質であるビタミン等を放出する。抗酸化物放出ユニット１０Ｂは、支持軸１２を中心に揺動自在に支持され、送風路２内を横切るように配置される放出位置（図２の実線位置）と、放出位置の上流側に位置し、送風路２より退避する退避位置（図２の仮想線位置）との間で変移できるようになっている。退避位置のスペースは、ユニットケース３の開口を塞ぐように取り付けされた点検窓蓋１３によって形成されている。
【００３６】
次に、空気清浄器１Ｂの作用を説明する。脱臭を最優先する脱臭モードが選択されると、抗酸化物放出ユニット１０Ｂが退避位置に位置され、酸化脱臭ユニット９が電源オンされる。送風ファン７によって送風路２に吸い込まれた送風は、送風路２を流れる。この送風に酸化脱臭ユニット９よりオゾンが放出される。オゾンが放出された送風は、空気排出口５より車室内に排出される。つまり、酸化脱臭機能を持った浄化空気が室内に提供される。
【００３７】
抗酸化作用を最優先する抗酸化物放出モードが選択されると、抗酸化物放出ユニット１０Ｂが放出位置に位置され、酸化脱臭ユニット９が電源オフされる。送風ファン７によって送風路２に吸い込まれた送風は、抗酸化物放出ユニット１０Ｂ内を通過する。この抗酸化物放出ユニット１０Ｂの通過過程で送風に抗酸化物質が放出される。この抗酸化物質が放出された送風は、空気排出口５より車室内に排出される。つまり、抗酸化機能（例えばビタミン機能）を持った浄化空気が室内に提供される。
【００３８】
中和モードが選択されると、抗酸化物放出ユニット１０Ｂが放出位置に位置され、酸化脱臭ユニット９が電源オンされる。送風ファン７によって送風路２に吸い込まれた送風は、送風路２を流れる。そして、先ず、酸化脱臭ユニット９の近傍を通過する際にオゾンが放出される。オゾンによって送風の酸化脱臭が行われる。次に、抗酸化物放出ユニット１０Ｂ内を通過し、この通過過程で抗酸化物質が放出され、抗酸化物質により中和された送風は、空気排出口５より車室内に排出される。つまり、送風路２内で酸化脱臭された浄化空気が室内に提供される。
【００３９】
なお、酸化脱臭ユニット９は抗酸化物放出ユニット１０Ｂの退避位置よりも上流側に配置されていることにより、抗酸化物放出ユニット１０Ｂが回動する際の妨げにならないうえ、酸化脱臭ユニット９から抗酸化物放出ユニット１０Ｂまでの距離が充分に確保されるため、中和モードで酸化脱臭ユニット９から放出されるオゾンによって送風路２内の送風は充分に脱臭されてから抗酸化物放出ユニット１０Ｂで中和される。
【００４０】
送風のみを行う送風モードが選択されると、抗酸化物放出ユニット１０Ｂが退避位置に位置され、酸化脱臭ユニット９が電源オフされる。送風ファン７によって送風路２に吸い込まれた送風は、単に送風路２を通過して空気排出口５より車室内に排出される。
【００４１】
以上、上記空気清浄器１Ｂでは、脱臭モード、抗酸化物放出モード、中和モード及び送風モードの４つのモードを選択できるため、多機能化が可能である。
【００４２】
この第２実施形態では、各種モードの切替を抗酸化物放出ユニット１０Ｂの移動と酸化脱臭ユニット９のオン・オフ制御で行うことができる。従って、全てのモードで送風路２を有効に使用でき、モードによって送風量が異なるという不都合がない。
【００４３】
この第２実施形態では、抗酸化物放出ユニット１０Ｂは、送風路２内の酸化脱臭ユニット９より下流位置に配置されたので、脱臭された送風は送風路２内で抗酸化物により脱臭効果が中和されるため、空気清浄器１Ｂからは送風自体は脱臭されているが、脱臭機能が軽減された清浄な空気を排出できる。
【００４４】
又、第２実施形態の変形例として、酸化脱臭ユニット９は、送風路２内の抗酸化物放出ユニット１０Ｂより下流位置に配置するようにしても良い。このように構成すれば、抗酸化物質を含む空気は送風路２内でオゾンにより抗酸化効果が中和されるため、空気清浄器１Ｂからは送風自体は抗酸化されているが、抗酸化機能が軽減された清浄な空気を排出できる。
【図面の簡単な説明】
【００４５】
【図１】本発明の第１実施形態に係る空気清浄器の構成図である。
【図２】本発明の第２実施形態に係る空気清浄器の構成図である。
【符号の説明】
【００４６】
１Ａ，１Ｂ  空気清浄器
２  送風路
２ａ  第１通路
２ｂ  第２通路
２ｃ  ミックススペース
９  酸化脱臭ユニット（酸化脱臭手段）
１０Ａ，１０Ｂ  抗酸化物放出ユニット（抗酸化物放出手段）
１１  切替ドア
【図１】
2007014704.tif 000003
【図２】
2007014704.tif 000004